(57)【要約】      （修正有）【課題】皮革バンドを時計ケースへ取り付けるに当り、完全固定及び半固定を確実に維持できる取付部材を提供する。【解決手段】皮革バンド６０と時計ケース５０の間に介在する雄パーツ１０と皮革バンド６０に埋め込まれる雌パーツ２０を備える。雄パーツ１０は、皮革バンド６０に形成される凹部６２へ嵌合する突起状の凸部１３を設けるとともに、その凸部１３の先端面に下側が突出するように段差部１４を形成し、皮革バンド６０の凹部６２の下側面と雄パーツ１０の段差部１４との間に間隙を備えて皮革バンド６０と雄パーツ１０を半固定状態にする。【選択図】図２
0003149702.tif 000002
【実用新案登録請求の範囲】
【請求項１】
皮革バンドを時計ケースへ取り付けるための皮革バンド用取付部材であって、
皮革バンドと時計ケースの間に介在する雄パーツを備え、当該雄パーツは、皮革バンドのエンドピース部に切欠状に形成される凹部へ嵌合する突起状の凸部を皮革バンドとの取付面に設けるとともに、その凸部の先端面に下側が突出するように段差部を形成し、皮革バンドの凹部下側面と雄パーツの凸部段差部との間に間隙を備えて皮革バンドと雄パーツを半固定状態又は当該間隙を備えずに皮革バンドと雄パーツを完全固定状態にすることを特徴とする皮革バンド用取付部材。
【請求項２】
皮革バンドのエンドピース部に埋め込まれる雌パーツを備え、当該雌パーツは、雄パーツの凸部を嵌合する皮革バンドの凹部を形成するための切欠部を備えたことを特徴とする請求項１記載の皮革バンド用取付部材。
【請求項３】
請求項１又は２に記載の皮革バンド用取付部材を備えたことを特徴とする時計バンド。
【考案の詳細な説明】
【技術分野】
【０００１】
本願考案は、皮革バンドを時計ケースへ取り付けるための皮革バンド用取付部材（以下単に「取付部材」ともいう）に関するものである。
【背景技術】
【０００２】
従来、皮革バンドを時計ケースに取り付けるための取付技術としては、以下に示す特許文献１〜３のようなものがある（符号は、当該公報に係るもの）。
特許文献１には、皮革製時計バンド１が垂れ下がった時に、時計ケース４との間での一体感が損なわれることを解消する取付技術が開示されている（図４参照）。
特許文献２には、各種の時計側（時計ケース）５に皮革製時計バンド１を取付け可能にする取付技術が開示されている（図５参照）。
特許文献３には、時計ケース８と皮革製時計バンド１間を馴味よく回動させ、また、取付部のデザインバリエーション豊かにする取付技術が開示されている（図６参照）。
【先行技術文献】
【特許文献】
【０００３】
【特許文献１】実開平  ４−  ４３１１３号公報
【特許文献２】実開平  ２−  ７４９０９号公報
【特許文献３】実開昭６２−１３９３０９号公報
【考案の概要】
【考案が解決しようとする課題】
【０００４】
これに対して、本願考案者は、以下の（１）固定嵌合と（２）回転嵌合の間、すなわち、時計ケースと取付部材（雄パーツ）は回転し、取付部材（雄パーツ）と皮革バンドは完全固定又は半固定状態に取り付けることを目的として、本願考案を完成するに至った。
（１）固定嵌合：皮革バンドを時計ケースに対して回転不可能に取り付ける状態（回転を完全に規制する状態）
（２）回転嵌合：皮革バンドを時計ケースに対して上下９０度ずつ回転可能に取り付ける状態（回転を規制しない状態）
【課題を解決するための手段】
【０００５】
上記目的を達成するために、第１の考案は、皮革バンドを時計ケースへ取り付けるための皮革バンド用取付部材であって、皮革バンドと時計ケースの間に介在する雄パーツを備え、当該雄パーツは、皮革バンドのエンドピース部に切欠状に形成される凹部へ嵌合する突起状の凸部を皮革バンドとの取付面に設けるとともに、その凸部の先端面に下側が突出するように段差部を形成し、皮革バンドの凹部下側面と雄パーツの凸部段差部との間に間隙を備えて皮革バンドと雄パーツを半固定状態又は当該間隙を備えずに皮革バンドと雄パーツを完全固定状態にすることを特徴とするものである。
第２の考案は、皮革バンドのエンドピース部に埋め込まれる雌パーツを備え、当該雌パーツは、雄パーツの凸部を嵌合する皮革バンドの凹部を形成するための切欠部を備えたことを特徴とする同皮革バンド用取付部材である。
第３の考案は、上記第１又は第２の考案に係る皮革バンド用取付部材を備えたことを特徴とする時計バンドである。
【考案の効果】
【０００６】
上記考案によれば、以下のような効果を有する。
（１）皮革バンドの凹部下側面と雄パーツの凸部段差部との間に間隙を備えたことで、皮革バンドが回転した場合、皮革バンドの凹部下側面が雄パーツの凸部段差部に当接して、皮革バンドの回転を止めること、すなわち、半固定状態にすることができる。また、皮革バンドの凹部下側面と雄パーツの凸部段差部との間に間隙を備えないことで、皮革バンドは回転できず、完全固定状態にすることができる。
（２）皮革バンドのエンドピース部に埋め込まれる雌パーツを備えることで、皮革バンドの凹部下側面が雄パーツの凸部段差部に確実に当接して、皮革バンドの完全固定及び半固定を確実に維持できる。
（３）そして、雄パーツを介して皮革バンドを時計ケースに対して回転状態に取り付けることができる一方で、皮革バンドは雄パーツと完全固定又は半固定状態であるために、皮革バンドと時計ケースに一体感を与え、回転嵌合の場合のように美感を損ねることなく、また、固定嵌合の場合のように装着性・フィット性を損ねることがなく、バランスの取れた皮革バンドを提供できる。
【図面の簡単な説明】
【０００７】
【図１】本願考案に係る皮革バンド用取付部材を説明する説明図。
【図２】皮革バンド用取付部材の使用状態を説明する説明図。
【図３】皮革バンド用取付部材の使用状態を説明する断面図（Ａ−Ａ断面図）。
【図４】従来技術（特許文献１）を説明する説明図。
【図５】従来技術（特許文献２）を説明する説明図。
【図６】従来技術（特許文献３）を説明する説明図。
【考案を実施するための形態】
【０００８】
本考案の実施形態を図面に基づいて説明する。
図１は、本願考案に係る皮革バンド用取付部材を説明する説明図である。
図１に示す雄パーツ１０は、皮革バンドと時計ケースの間に介在する部材であり、雌パーツ２０は、皮革バンドに埋め込まれる部材である。雄パーツ及び雌パーツは金属製ものが好ましいが、これに限定されるものではなく、樹脂製又はその他の材質のものであってもよい。
【０００９】
図２は、皮革バンド用取付部材の使用状態を説明する説明図である。
雄パーツ１０は、時計ケース５０に取り付ける取付部（時計ケース側）１１を備えるとともに、皮革バンド６０に取り付ける取付面（皮革バンド側）１２を備える。取付部１１は、時計ケース５０と回転自在となっている。一方、取付面１２には、皮革バンド６０のエンドピース部６１に切欠状に形成される凹部６２へ嵌合する突起状の凸部１３を設ける。そして、凸部１３の先端面には、下側が突出するように段差部１４が形成されている。また、凸部１３には、皮革バンド６０を取り付けるための連結ピン（図示省略）を挿通するピン孔１５を設ける。
【００１０】
一方、雌パーツ２０は、雄パーツ１０の凸部１３を嵌合する皮革バンド６０の凹部６２を形成するための切欠部２１を備えるとともに、前記連結ピンを挿通する筒部２２，２２を備える。この雌パーツを埋め込んだ皮革バンド６０のエンドピース部６１には、雄パーツ１０の凸部１３を嵌合する凹部６２が形成される。そして、雄パーツ１０の凸部１３を皮革バンド６０の凹部６２に嵌合し、連結ピン４０を雌パーツ筒部２２，２２及び雄パーツのピン孔１５に挿通することで、雄パーツ１０は皮革バンド６０に取り付けられる。なお、皮革バンド６０の側面は皮革で完全に包み込むこともできるために（図示省略）、中に雌パーツ２０が入っていることも完全に隠すこともできる。このため、デザイン的にも有用である。
【００１１】
図３は、図２のＡ−Ａ断面図である。
図３に示すように、皮革バンド６０の凹部６２（＝切欠部２１）の下側面２３と雄パーツ１０の凸部１３の段差部１４との間には、間隙３０を備えている。この間隙３０があることで、皮革バンド６０が回転した場合、凹部下側面２３が凸部段差部１４に当接して、皮革バンド６０の回転を止めること、すなわち、皮革バンド６０を雄パーツ１０に対して半固定状態にすることができるのである。半固定する皮革バンド６０の回転角度は、間隙３０の長さ（距離）によって自由に調整できる。すなわち、半固定（回転角度）を小さくしたければ、間隙３０の長さ（距離）を小さくする、半固定（回転角度）を大きくしたければ、間隙３０の長さ（距離）を大きくすればよい。また、間隙３０を無くせば皮革バンド６０の回転を完全に止めること、すなわち、皮革バンド６０を雄パーツ１０に対して完全固定状態にすることができるのである。そして、雄パーツ１０の段差部１４には、雌パーツ２０が当接するので、確実に当接して皮革バンド６０の完全固定・半固定状態を確実に維持できる。
【産業上の利用可能性】
【００１２】
本願考案は、皮革バンドを時計ケースに取り付けるための取付部品として幅広く利用できるものである。また、エンドピースとしての雄パーツのデザインはいろいろに展開できるために、デザインバリエーションが広がる。
【符号の説明】
【００１３】
１０  雄パーツ    １１  取付部（時計ケース側）    １２  取付面（皮革バンド側）
１３  凸部    １４  段差部    １５  ピン孔
２０  雌パーツ    ２１  切欠部    ２２  筒部    ２３  下側面
３０  間隙    ４０  連結ピン
５０  時計ケース
６０  皮革バンド    ６１  エンドピース部    ６２  凹部
【図１】
0003149702.tif 000003
【図２】
0003149702.tif 000004
【図３】
0003149702.tif 000005
【図４】
0003149702.tif 000006
【図５】
0003149702.tif 000007
【図６】
0003149702.tif 000008